(57)【要約】【課題】デッドボルトの作動終了時に発生する衝撃音を緩和するために、特別な部材を設置する事なく、扉錠の、構成上のひとつの部材を利用する事で衝撃音を緩和するように機構配置した扉錠を提供する。【解決手段】錠前開錠時において、デッドボルトユニットを直接シャーシの壁面等に当てて制動停止させるのではなく、体積の小さい部材デッドバネ押えで当てて制動停止させるように構成し、当たったときには、デッドバネなどの緩衝部材でデッドボルトユニットの動きを制動するように構成する。緩衝部材として、デッドボルトの異常操作、動作防止機構に作用しているデッドバネを兼用使用するよう構成する。衝撃音緩和のために、デッドバネ押えは、樹脂材料等を使用するのが望ましい。また、デッドバネ押えは、デッドボルトユニットの根元の壁面より突出して構成する。【選択図】図１
2007070933.tif 000002
【特許請求の範囲】
【請求項１】
デッドボルトユニット内に配置した、デッドボルトユニットの異常操作、動作防止機構を作動させるデッドバネのデッドバネ押えが、デッドボルトユニットの壁面よりわずかに突出しており、作動終了直前に、シャーシなどの壁面に先に衝突停止し、そのバネの作用で、デッドボルトユニットの作動を、作動衝撃を緩和しながら、制動するように構成したことを特徴とする、衝撃音緩和機構。
【請求項２】
請求項１において、デッドバネ押えは、シャーシとは異なる材料で、且つ、衝撃音を緩和するように、樹脂材料で構成したことを特徴とする衝撃音緩和機構。
【発明の詳細な説明】
【技術分野】
【０００１】
この発明は、電動でデッドボルトを作動させて、施開錠する扉錠の、デッドボルトの作動終了時に発生する衝撃音を緩和する機構に関する。
【背景技術】
【０００２】
従来の電気錠において、デッドボルトの作動終了時、特に開錠動作終了時は、デッドボルト後端部などの金属部品が、その動作停止のために、錠前シャーシ壁面に、直接衝突し、衝撃音を発生させていた。特に、施開錠速度を速くするほど衝撃音は大きくなる。このため、静かな環境では、建屋内に衝撃音が響き渡り不快感を与える要因となっていた。特に、縦枠の狭い扉に設置するような扉錠においては、内部空間寸法が少なく、衝撃音吸収部材の設置が困難であった。また、衝撃音吸収部材を設置しても、部品点数の増加となる。衝撃音を緩和するため、扉錠全体を音響素材などの防音制振材料で覆う方法もあるが扉錠の体積が大きくなり扉に設置が困難となる。これらの方策は、部品コストがかかるため、安価な扉錠の提供が困難であった。
【特許文献１】特開平７−１９７７０８
【発明の開示】
【発明が解決しようとする課題】
【０００３】
従来の構成においては、前述のような問題点があり衝撃音の緩和対策を安価に提供する事が困難であった。
【０００４】
本件発明は、衝撃音緩和のために、特別な部材を設けることなく、構造上のひとつの部品を利用して、衝撃音を緩和するように配置する機構を提供する事を目的としている。
【課題を解決するための手段】
【０００５】
本件発明は、上記目的を達成するために、従来の扉錠では、デッドボルト内に配置していたデッドボルトの異常操作、動作防止用のスライダー機構をデッドボルトの外周部に構成し、異常操作、動作防止機構において、デッドボルトを正常位置に復元させる力を与えているバネをデッドボルト内にし配置構成し、そのバネを取り付けるための部材をデッドボルト作動終了時のデッドボルト停止のための当りとして利用する事で、衝撃音の緩和(ショックアブソーバー)を図るように配置構成する。
【発明の効果】
【０００６】
上述したように、本件発明のデッドボルト内に配置したスライダー復元用のバネ取付部材がデッドボルトの作動終了時にシャーシ壁面に最初に当たることで、そのバネを微小にチャージする方向に変位させて、デッドボルトが直接シャーシ壁面にあたることがないため、大きな衝撃音を発生させない効用があり、錠前の作動音の静音化となる。
【発明を実施するための最良の形態】
【０００７】
本件発明の実施の形態を図１〜図８により説明する。
【実施例】
【０００８】
図１において、扉錠のデッドボルトユニット６と鎌ユニット７は、シャーシ１と図示しないシャーシ蓋に取り付けられたデッドボルト下案内部材２、デッドボルト上案内部材３で挟み込むようにして保持構成される。
【０００９】
図２に図示されるように、スライダーユニット１０１は、下スライダー４、上スライダー５が、凹形状部分で溶着されて一体化している。そして凹形状部分の他端側は、スライダー支柱８を螺子９で、上下スライダー４，５に取り付けられる。
【００１０】
図３に図示されるように、デッドボルトユニット６の後端部には、デッドバネ１０を入れて、デッドボルトユニット６の外周部へは、前述のスライダーユニット１０１を嵌め込み、デッドバネ押え１１を挿入して、スライダーユニット１０１とデッドバネ押え１１をデッド案内ピン１２でデッドボルトユニット６に組み付けている。
【００１１】
デッドボルトユニット６には、鎌作動軸１３が加締られている。その鎌作動軸１３には、鎌ローラー１４が嵌め込まれて、鎌ユニット７を円滑に作動させる。
【００１２】
上記の鎌ローラー１４には、鎌ユニット７が組み込まれて、デッドボルトユニット６を形成している。
【００１３】
鎌ユニット７の根元部端の円形穴には、図示しないシャーシに嵌め込まれた柱に嵌合してデッドボルトユニット６の作動と関連して鎌ユニット７が回動するように構成されている。
【００１４】
鎌ユニット７は、上鎌板、下鎌板、中間板で構成され、組立鋲で一体化されている。そのユニットの構成は、図面のように構成する制約はなく、焼結合金などで一体構成することも可能である。
【００１５】
次に、動作について説明する。
【００１６】
図１と図４において、図示しないサムターンを時計方向に回動させると、サムターンに関連しているスライダーユニット１０１が、図５の矢印(イ)方向に摺動する。
【００１７】
スライダーユニット１０１の移動にともなって、デッドボルトバネ１０を介してデッドボルトユニットも、同方向に摺動する。その時、デッドボルトユニット６は、デッドボルト上下案内部材２，３に設けられた先端案内壁２ａ、およびデッド案内ピン１２に嵌められたローラー１５が嵌っている、図示されたデッド案内ピンガイド２ｂによって直線移動するように案内される。
【００１８】
デッドボルトユニット６の移動に伴い、鎌作動軸１３，鎌ローラー１４を介して鎌ユニット７は、その根元部端の円形穴を中心として、反時計方向の図５（ロ）の矢印方向に回動し、図５の、施錠状態となる。
【００１９】
上記説明は、正常動作の場合である。図６に図示されるように、もし、デッドボルトユニット６が、なんらかの異常で作動出来なかった場合は、スライダーユニット部材のみが図６の（イ）の矢印方向に移動し、図６、図８で図示されるような、デッドボルトバネ１０をチャージした状態となる。そこでデッドボルトユニットの異常が解除されると、デッドボルトバネ１０によってデッドボルトユニット６は、図５に図示されるような、施錠位置に移動する。
【００２０】
電動駆動に関しては、図示していないがサムターン部材に関連するように構成されている。
【００２１】
図５の施錠状態から、電動あるいは手動で駆動されサムターンが反時計方向に回動すると、スライダーユニット１０１が矢印(イ)と反対方向に摺動し、同時にデッドボルトユニット６も同方向に連動、強制移動する。移動終了の直前でデッドボルトユニット６の壁面よりわずかに突出しているデッドバネ押え１１が、シャーシ１の壁面に衝突して、デッドボルトバネを微小量押込み、チャージすることで、壁面に衝突したときの衝撃を緩和し、その衝突による衝撃音を緩和する。
【００２２】
衝撃音を有効的に小さくするためには、デッドバネ押え１１を金属ではなく、樹脂材料などの衝撃吸収性の高い材料とするのが好ましい。
【００２３】
前述のように、デッドバネ押え１１の部品を、そのバネ取付の用途だけでなく、衝突の衝撃と衝撃音の緩和にも機能するように構成することで、部品点数を減少させて、また、機構構空間を有効利用出来る。また、部品の減少は組立コスト、部品コストの低減に役立つ。
【図面の簡単な説明】
【００２４】
【図１】組立構成図
【図２】スライダーユニット１０１の組立構成図
【図３】デッドボルトユニット６とスライダーユニット１０１の組立構成図
【図４】開錠状態の平面図
【図５】施錠状態の平面図
【図６】異常操作、動作状態の平面図
【図７】図４のＡ−Ａ断面図
【図８】図６のＢ−Ｂ断面図
【符号の説明】
【００２５】
１      シャーシ
２      デッドボルト下案内部材
２ａ    先端案内壁
２ｂ    デッドあんなイピンガイド
３      デッドボルト上案内部材
４      下スライダー
５      上スライダー
６      デッドボルトユニット
７      鎌ユニット
８      スライダー支柱
９      螺子
１０    デッドバネ
１１    デッドバネ押え
１２    デッド案内ピン
１３    鎌作動軸
１４    鎌ローラー
１５    ローラー
１６    下ダルマギャー受け
１７    ダルマギャーユニット
１８    ダルマギャー押え
１０１  スライダーユニット
【図１】
2007070933.tif 000003
【図２】
2007070933.tif 000004
【図３】
2007070933.tif 000005
【図４】
2007070933.tif 000006
【図５】
2007070933.tif 000007
【図６】
2007070933.tif 000008
【図７】
2007070933.tif 000009
【図８】
2007070933.tif 000010